(57)【要約】      （修正有）【課題】電気的電流伝送若しくは光ファイバ伝送において、電気信号ノイズ電力配線網における長距離電気送電時の放電損失若しくは光ファイバ伝送における光信号ノイズを抑える、電線若しくは光ファイバを提供する。【解決手段】光ファイバにおいては、コア芯線の形状そのものを、使用目的別にらせん回転形状を右回り又は左回りに巻き込み加工仕上げとし、前記らせん回転形状の芯線８をクラッド９で被覆し、これらを絶縁材料１０で被覆する。らせん回転形状の芯線８は、被覆された素材に電気信号や光ファイバの光信号の屈折の接触面が軽減されるので、摩擦熱の負荷が少なくなる。【選択図】図３
2013214485.tif 000002
【特許請求の範囲】
【請求項１】
電気的電流伝送および光ファイバ伝送に用いる電線芯線ならびにコア芯線の形状そのものを、使用目的別にらせん回転形状を右回り又は左回りに巻き込み加工仕上げとしたことを特徴とするらせん回転形状の伝送芯線。
【請求項２】
光ファイバのコアにおける送受信の芯線を右回りのらせん回転で巻き込み仕上げの芯線からなるコアおよび被覆するクラッドであって、らせん回転形状としたゲルマニウム石英ガラスおよびプラスチックで形成されシリコン樹脂等で被覆されていることを特徴とする請求項１に記載のらせん回転形状の伝送芯線。
【請求項３】
本発明の利用は、陸上および海底ケーブルの配線網に用いるグレーデッドインデックス又はシングルモードの光ファイバ芯線に用いることを特徴とする請求項１又は２に記載のらせん回転形状の伝送芯線。
【請求項３】
本発明の利用は、スパーコンピュータをはじめとするパソコン機器、事務機器および家電機器又は携帯機器、ゲーム機器、発電機器、新幹線、飛行機、船舶、宇宙衛星ロケット、遊園地での乗り物機器、ロボット機器、娯楽施設のゲーム機器、各種乗り物の電気的伝送に用いるプリント基板であるマザーボード（電子回路基盤）、電気配線等に用いることを特徴とする請求項１、２又は３に記載のらせん回転形状の伝送芯線。
【請求項４】
本発明の利用は、光ファイバのマザーボード（電子回路基盤）および電気的配線の芯線に用いることを特徴とする請求項１に記載のらせん回転形状の伝送芯線。
【請求項５】
本発明の利用は、高電圧配線の送電網の電気伝送に用いることを特徴とする請求項１に記載のらせん回転形状の伝送芯線。
【請求項６】
電気的電流伝送とする電化製品および電気配線の電線および光ファイバにおけるコア若しくはクラッドならびに被覆素材は、ゲルマニウム、石英ガラスおよびプラスチック、シリコン樹脂に限定されない絶縁加工素材を用いることを特徴とする請求項１、２、３、４又は５に記載のらせん回転形状の伝送芯線。
【請求項７】
本発明の利用は、自然摂理の落雷を利用した一対の陰極部と陽極部からなる電極を備え、人工ダム湖水および自然湖水において、湖水中心部の表面にらせん回転形状の陰極部若しくは陽極部とする金属からなる電極棒又は電極板ならびに電気的電流伝送の芯線を設置し、対極する一方の電極を湖水底若しくは湖水内に対極電極として、らせん回転形状の陽極部若しくは陰極部の金属からなる電極棒又は電極板ならびに電気的電流伝送の芯線を備え、対極電極に対して湖水内で落雷を陰極部と陽極部間で落雷を利用した印加放電に用いることを特徴とする請求項１に記載のらせん回転形状の伝送芯線。
【発明の詳細な説明】
【技術】
【０００１】電気的電流伝送および光ファイバ伝送に用いる伝送芯線そのものを、使用目的別にらせん回転形状を右回り又は左回りに巻き込み加工仕上げとしたことを特徴とするらせん回転形状にかんする。
【０００２】スーパーコンピュータをはじめとする演算速度、大容量のデータ伝送の高速化は、さらに要求され地球規模での相互通信の便利性が、ますます求められる中、電気信号ノイズ電力配線網における長距離電気送電時の放電損失ならびに光信号ノイズを抑えることが重要である。従来のさまざま電気的電流伝送および光ファイバが、さらに高品質で伝送損失が低い安定した素材が求められている。
【０００３】このことを踏まえ、自然摂理のツル植物らせん回転の成長、河川のらせん回転流れ、樹木の幹は痩せた土壌、強風にさらさえながらも頑強にらせん回転で成長する樹木のらせん回転形状に着眼したのである。
【背景技術】
【０００４】従来の電気的電流伝送および光ファイバ伝送に用いる伝送芯線は、並列配置された少なくとも２本以上の光ファイバー線と光ファイバー線の取り出しを容易にするための切り裂き溝とからなることを提供している（［特許文献１］）特許第３１７２０８４号であり、電気線取付部材を備えた電動機を提供する特許第３５７２６５６号があるが、いずれも設置の容易性を示すものであり、電気的電流伝送および光ファイバ伝送に用いる伝送芯線そのものを、らせん回転形状とする意識はなく本発明とは技術的意義を全く異にする。
【特許文献１】特許第３１７２０８４号
【特許文献２】特許第３５７２６５６号
【発明の概要】
【発明が解決しようする課題】
【０００５】電気的電流伝送における複数の伝送線を絡まなくする方法として、らせん回転形状の弾力性のある材料で複数のコードやケーブルを束ねて巻きつけ複数の配線を交互にらせん状に巻いて断線を防ぐ手段が施されているだけであり、電気的電流伝送および光ファイバ伝送に用いる伝送芯線の形状が直線的になっていることでの電気信号ノイズ電力配線網における長距離電気送電時の放電損失ならびに光ファイバ伝送における光信号ノイズを抑えることが需要である。
【０００６】本発明は自然摂理におけるツル植物のらせん形状で、短期間で成長する生命力、土壌から長く伸びた成長先端部細胞への水分および栄養成分の送り込み循環機能を有する点に着眼したのである。
【０００７】なお、土壌が痩せた劣悪条件下の火山岩および岩盤上に育つ樹木は、ツル植物以外でも大地からの栄養吸収と太陽光からのエネルギー補給を効率良い循環とするために、自らの幹をらせん状に巻き込んだ形状で空に向かって伸びていることに注視したのである。
【課題を解決するための手段】
【０００８】電気的電流伝送および光ファイバ伝送に用いる伝送芯線の形状そのものを、らせん回転で巻き込み仕上げとするらせん回転の形状としたのである。
【実施例】
【０００９】以下、本発明の図１について説明する。１は電気的電流電装のらせん回転形状の芯線図であり、らせん回転で巻き込み仕上げとした芯線２である。３は絶縁被覆材料、４は複数のらせん形状の電流芯線をシールド材料５及び６のシース材料で覆う場合に用いる絶縁材料である。【００１０】図２において説明する。本発明は芯線である円筒形状の外径だけを、らせん回転の凹凸形状つけるのではなく芯線そのものを、らせん回転の巻き込み仕上げとした２である。【００１１】つぎに図３において説明する。７は、本発明の光ファイバを構成する図である。８は、光ファイバ伝送芯線そのものを、らせん回転の巻き込み仕上げとし、９は、コアを被覆するクラッドであり、１０はこれらを被覆する絶縁材料である。
【発明の効果】
【００１２】送電における直線的な芯線の導線と違って、らせん回転形状された本発明の芯線は、被覆された素材に電気信号や光ファイバの光信号の屈折の接触面が軽減され摩擦熱の負荷が少なく（又はその恐れが小さい）ことから、電気信号ノイズが解消され伝送速度が加速され同時にエネルギー消費も安定し情報伝送の損失が軽減されることになる。同時にエネルギー消費も安定し情報伝送の損失が軽減されることになる。
【００１３】本発明の芯線に用いられる電気配線の電線の原料である鉄鉱石および光ファイバにおけるコア素材に用いられているゲルマニウム、石英ガラス等が製造加工時に右回りのらせん回転形状に巻き込み仕上げとすることで、電気信号ノイズが解消され伝送速度が加速される。
【図面の簡単な説明】
【００１４】
【図１】本発明の電気的電流伝送に用いた右回りのらせん回転形状の芯線とした構成図。
【図２】本発明の芯線そのものを右回りのらせん回転の巻き込み仕上げとした部分拡大図。
【図３】本発明の光ファイバのコアおよびクラッドを被覆した構成図。
【符号の説明】
【００１５】１  らせん回転形状の芯線とした構成図
２  らせん形状の電流芯線
３  絶縁被覆
４  絶縁材料
５  シールド材料
６  シース材料
７  光ファイバ構成図
８  光ファイバのコア
９  光ファイバのクラッド
１０  被覆材料
【図１】
2013214485.tif 000003
【図２】
2013214485.tif 000004
【図３】
2013214485.tif 000005
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
光ファイバ伝送に用いるコア芯の線を右回りのらせん回転形状に巻き込み加工仕上げとしたことを特徴とするらせん回転形状の伝送芯線。
【請求項２】
電気的電流伝送に用いる電線を右回りのらせん回転形状に巻き込み加工仕上げとしたことを特徴とするらせん回転形状の伝送芯線。
【請求項３】
光ファイバのコアにおける送受信の芯となる線を右回りのらせん回転で巻き込み仕上げの芯となる線からなるコアおよび被覆するクラッドであって、らせん回転形状としたゲルマニウム石英ガラスおよびプラスチックで形成されシリコン樹脂等で被覆されていることを特徴とする請求項目１に記載のらせん回転形状の伝送芯線。
【請求項４】
本発明の利用は、陸上および海底ケーブルの配線網に用いるグレーデッドインデックス又はシングルモードの光ファイバ芯線に用いることを特徴とする請求項目１又は請求項目２に記載のらせん回転形状の伝送芯線。
【請求項５】
本発明の利用は、スパーコンピュータをはじめとするパソコン機器、事務機器および家電機器又は携帯機器、ゲーム機器、発電機器、自動車、新幹線、飛行機、船舶、宇宙衛星ロケット、遊園地での乗り物機器、ロボット機器、娯楽施設のゲーム機器、各種乗り物の電気的伝送に用いるプリント基板であるマザーボード（電子回路基盤）、電気配線等に用いることを特徴とする請求項目１又は請求項目２に記載のらせん回転形状の伝送芯線。
【請求項６】
本発明の利用は、光ファイバのマザーボード（電子回路基盤）および電気的配線の芯となる線に用いることを特徴とする請求項目１又は請求項目２に記載のらせん回転形状の伝送芯線。
【請求項７】
本発明の利用は、高電圧配線の送電網の電気伝送に用いることを特徴とする請求項目１又は請求項目２に記載のらせん回転形状の伝送芯線。
【請求項８】
電気的電流伝送とする電化製品および電気配線の電線および光ファイバにおけるコア若しくはクラッドならびに被覆素材は、ゲルマニウム、石英ガラスおよびプラスチック、シリコン樹脂に限定されない絶縁加工素材を用いることを特徴とする請求項目１又は請求項目２に記載のらせん回転形状の伝送芯線。
【請求項９】
本発明の利用は、自然界で発生する落雷を利用した印加放電に用いることを特徴とする請求項目１又は請求項目２に記載のらせん回転形状の伝送芯線。
【請求項１０】
一対の陰極部と陽極部からなる電極を備え、人工ダム湖水および自然湖水において、湖水中心部の表面にらせん回転形状の陰極部若しくは陽極部とする金属からなる電極棒又は電極板ならびに電気的電流伝送の芯となる線を設置し、対極する一方の電極を湖水底若しくは湖水内に対極電極として用いることを特徴とする請求項目１又は請求項目２に記載のらせん回転形状の伝送芯線。
【手続補正２】
【補正対象書類名】明細書
【補正対象項目名】０００８
【補正方法】変更
【補正の内容】
【０００８】電気的電流伝送および光ファイバ伝送に用いる伝送芯線の形状そのものを、らせん回転で巻き込み仕上げとするらせん回転の形状とすることで、図示しないが自然摂理の落雷を利用した陰極部及び陽極部からなる印加放電にも応用できるようにしたのである。